(57)【要約】【課題】  給水能力が低い水道設備と接続される水道接続用スプリンクラー設備に、火災時には別途水源よりスプリンクラーヘッドが設置された配管に水を供給することが可能な水道接続用スプリンクラー設備を提供する。【解決手段】  消火用配管２に、外部の給水装置と接続される送水口５を設けたり、あるいは常時水が蓄えられた貯水槽１０を設置して、火災時に貯水槽１０から消火用配管２に給水する。【選択図】    図１
2005066065.tif 000002
【特許請求の範囲】
【請求項１】
水道管から分岐された消火用配管にスプリンクラーヘッドが設置されたスプリンクラー設備であり、消火用配管には外部より消火用配管に給水可能な給水装置が設けられていることを特徴とする水道接続用スプリンクラー設備。
【請求項２】
前記の外部より消火用配管に給水可能な給水装置とは、消火用配管に接続された給水口であることを特徴とする請求項１記載の水道接続用スプリンクラー設備。
【請求項３】
前記の外部より消火用配管に給水可能な給水装置とは、消火用配管に接続された貯水槽であることを特徴とする請求項１記載の水道接続用スプリンクラー設備。
【請求項４】
前記の外部より消火用配管に給水可能な給水装置とは、消火用配管と接続され外部より消火用配管へ送水可能な給水口を有しており、常時は給水口と消火用配管との水路が遮断されており、給水口から水が送られてきた時のみ消火用配管へ通水が可能であることを特徴とする請求項１記載の水道接続用スプリンクラー設備。
【発明の詳細な説明】
【技術分野】
【０００１】
本発明は、水道水を水源として使用するスプリンクラー設備に関するものである。
【背景技術】
【０００２】
従来の水道接続用スプリンクラー設備としては、スプリンクラーヘッドが設置された配管を水道管と接続してスプリンクラー設備を構成しているものがある（例えば、特許文献１参照。）。
【０００３】
さらに上記のスプリンクラー設備において、浴槽等に給水している際に火災が発生すると、スプリンクラーヘッドから十分な水量の水が散布できない可能性があることから、スプリンクラーヘッドの作動時には、浴槽等の家庭内で使用している給水栓への給水を停止する構成のスプリンクラー設備が発明されている（例えば、特許文献２参照。）。
【０００４】
【特許文献１】実開昭４８−４６５００号公報
【特許文献２】特許  第２９０６０７０号公報（第２−３頁、第１図）
【発明の開示】
【発明が解決しようとする課題】
【０００５】
上記のスプリンクラー設備は、高地等の水道水の供給圧力が低い地域や、夏季において渇水状態にある地域では、火災時にスプリンクラーヘッドが作動した際に、スプリンクラーヘッドより放出される水道水の量が不足してしまい、スプリンクラーヘッドの消火能力が十分に機能できない可能性がある。
【０００６】
そこで本発明では、上記問題に鑑み、給水能力が低い水道設備と接続される水道接続用スプリンクラー設備に、火災時には別途水源よりスプリンクラーヘッドが設置された配管に水を供給することが可能な水道接続用スプリンクラー設備を提供することを目的としている。
【課題を解決するための手段】
【０００７】
上記の目的を達成するために、請求項１記載の発明は、水道管から分岐された消火用配管にスプリンクラーヘッドが設置されたスプリンクラー設備であり、消火用配管には外部より消火用配管に給水可能な給水装置が設けられている水道接続用スプリンクラー設備である。
【０００８】
請求項２記載の発明は、前記の外部より消火用配管に給水可能な給水装置が、消火用配管に接続された給水口である請求項１記載の水道接続用スプリンクラー設備である。
【０００９】
請求項３記載の発明は、前記の外部より消火用配管に給水可能な給水装置が、消火用配管に接続された貯水槽である請求項１記載の水道接続用スプリンクラー設備である。
【００１０】
請求項４記載の発明は、前記の外部より消火用配管に給水可能な給水装置とは、消火用配管と接続され外部より消火用配管へ送水可能な給水口を有しており、常時は給水口と消火用配管との水路が遮断されており、給水口から水が送られてきた時のみ消火用配管へ通水が可能である請求項１記載の水道接続用スプリンクラー設備である。
【発明の効果】
【００１１】
高地等の水道水の供給圧力が低い地域や、夏季において渇水状態にある地域の建物内に設置された本発明のスプリンクラー設備によって、水道から供給される水量が不足した場合にも外部から給水を受けることができるので、スプリンクラーヘッドからは十分な水量が室内に散布され、火災を抑制・消火することができる。
【００１２】
水不足の地域にあっては、貯水槽に蓄えられた水を消火用配管に供給することで、消火に十分な水量を確保することが可能となる。
【発明を実施するための最良の形態】
【００１３】
本発明を実施するにあたっての最良の形態を実施例１に示す。また実施例２は実施例１を応用した形態である。
【実施例１】
【００１４】
以下、この発明の実施例１を図１、２を参照して説明する。図１は実施例１のスプリンクラー設備の系統図、図２は給水口と水道配管との水路を切り換える切換装置の断面図である。
【００１５】
図１のスプリンクラー設備は、水道管１が消火用配管２と給水栓用配管３とに分岐されている。消火用配管２は常に充水状態にあり、消火用配管２内の水が逆流しないように消火用配管２の給水栓用配管３と水道管１との分岐部付近には逆止弁が設置されている。
【００１６】
消火用配管２の途中にはスプリンクラーヘッド４が設けられ、末端にトイレタンクの給水栓が設けられている。
【００１７】
消火用配管２には外部より消火用配管２に給水可能な送水口５が設けられ、送水口５は送水配管６によって消火用配管２と接続される。消火用配管２側から送水口５に水が流れないように送水配管６上には切換装置７が設けられている。
【００１８】
図２に示す切換装置７は、複数の接続口を有しており、内部にはそれぞれの接続口の水路を切換える水路切換部材８が設けられ、切換装置７内部を摺動可能に設置されている。接続口は水道管１側と接続される接続口Ａ、スプリンクラーヘッドが設けられた側と接続される接続口Ｂ、送水口５と接続される接続口Ｃが設けられている。
【００１９】
切換装置７内部の水路切換部材８は、２つの水路を有しており、図中右側の直線状の水路は、接続口Ａと接続口Ｂを通水させるために用いられる。左側の屈曲された水路は、接続口Ｃと接続口Ｂを通水させるために用いられる。
【００２０】
水路切換部材８は、弾発体２２によって送水口５側に付勢されており、平時において水路切換部材８の水路は、接続口Ａと接続口Ｂが通水可能な状態にあり、接続口Ｃは遮断された状態にある。
【００２１】
火災が発生してスプリンクラーヘッド４が作動すると、消火用配管２内の水がスプリンクラーヘッド４から放出され、室内に水が散布される。火災の通報により消防車が到着したら、送水口５と消防ホースを接続して消防車より送水を行うことで、接続口Ｃに加圧された水が流入し、該水の圧力が弾発体９の付勢力を上回るので、弾発体９は圧縮され水路切換部材８が弾発体９側に移動する。
【００２２】
すると水路切換部材８内の左側の水路が接続口Ｂと接続口Ｃを通水可能な状態にして、送水口５から消火用配管２に給水可能となり、作動したスプリンクラーヘッド４から十分な水量が散布され火災の抑制・消火を行う。
【実施例２】
【００２３】
実施例２について、図３を参照して説明する。図３は実施例２のスプリンクラー設備の系統図である。
【００２４】
実施例２において、実施例１との相違点は、送水口５のかわりに高所に貯水槽１０を設けたことであり、該貯水槽１０内の水をスプリンクラーヘッド４から放出可能なものである。
【００２５】
貯水槽１０の水は、雨水を蓄えてもよいし、水道水を給水してもよい。貯水槽１０は消火用配管２と送水配管１１によって接続されており、送水配管１１上には制御弁１２が設置されている。
【００２６】
該制御弁１２は、平時において閉止状態にある。火災時にスプリンクラーヘッド４が作動して、消火用配管２上に設置した流水検知装置１３が作動すると制御弁１２が開放され、貯水槽１０内の水が消火用配管２に送水される構成である。
【００２７】
実施例２の応用として、流水検知装置１３のかわりにスプリンクラーヘッド４付近に火災感知器を設け、火災感知器が作動した場合に制御弁１２を開放するように構成することも可能である。
【産業上の利用可能性】
【００２８】
上記実施例にて示したスプリンクラー設備を組み合わせて実施することも可能である。
【００２９】
また、実施例２においては、火災時のみ貯水槽からの給水を受けるだけでなく、制御弁１２を常時開放状態にすることで、トイレ使用時にも貯水槽内の水を使用することが可能である。
【図面の簡単な説明】
【００３０】
【図１】実施例１のスプリンクラー設備の系統図
【図２】切換装置７の断面図：（ａ）通常時、（ｂ）送水口より給水時
【図３】実施例２のスプリンクラー設備の系統図
【符号の説明】
【００３１】
１  水道管
２  消火用配管
３  給水栓用配管
４  スプリンクラーヘッド
５  送水口
７  切換装置
１０  貯水槽
１２  制御弁
１３  流水検知装置
【図１】
2005066065.tif 000003
【図２】
2005066065.tif 000004
【図３】
2005066065.tif 000005